(57)【要約】【課題】蓋開放時の高さを抑え、操作が増えず、操作しやすい蓋開閉装置を提供する。【解決手段】炊飯器本体１０に設けられた収納部３０を開閉自在に覆う蓋２０と、上端が蓋２０の後部に板バネ１９を介して連結されると共に下端が炊飯器本体１０の上面部より下方に位置する支軸２１で回動自在に軸支されたアーム１８ａと、上端が蓋２０の後部に回動自在に軸支されたサブアーム１８ｂと、一端が支軸２１に回動自在に軸支され他端がサブアーム１８ｂの下端に連結された連結部材３５と、アーム１８ａを後方へ回動させるキックバネ２３を備えたもので、蓋２０開放時の高さを抑え、操作を増やすことなく容易に蓋２０が開けられるとともに、蓋２０が板バネ１９とサブアーム１８ｂで支持されるので、蓋２０の重量が１ヶ所に集中せず、部品強度を必要以上に高める必要が無くなり、安価に形成できる。【選択図】図１
2006075394.tif 000002
【特許請求の範囲】
【請求項１】
機器に設けられた収納部を開閉自在に覆う蓋と、上端が前記蓋の後部に可撓部材を介して連結されると共に下端が前記機器の上面部より下方に位置する支軸で回動自在に軸支されたアームと、上端が前記蓋の後部に回動自在に軸支されたサブアームと、一端が前記支軸に回動自在に軸支され他端が前記サブアームの下端に連結された連結部材と、前記アームを後方へ回動させる手段を備えた蓋開閉装置。
【請求項２】
機器に設けられた収納部を開閉自在に覆う蓋と、上端が前記蓋の後部に回動自在に連結されると共に下端が前記機器の上面部より下方に位置する支軸で回動自在に軸支されたアームと、上端が前記蓋の後部に回動自在に軸支されたサブアームと、一端が前記支軸に回動自在に軸支され、他端が前記サブアームの下端に連結された連結部材と、前記アームを後方へ回動させる手段を備えた蓋開閉装置。
【請求項３】
支軸を、収納部の中央より後方に配し、アームを機器の両側面より内側に配置した請求項１又は２に記載の蓋開閉装置。
【請求項４】
蓋の前部に引き手を備えた請求項１〜３のいずれか１項に記載の蓋開閉装置。
【請求項５】
アームの回動速度を抑制する回動抑制装置と、前記アームの回動範囲を規制する回動範囲規制部材を設けた請求項１〜４のいずれか１項に記載の蓋開閉装置。
【請求項６】
アームの回動角度を調整できるようにした請求項１〜５のいずれか１項に記載の蓋開閉装置。
【請求項７】
調理物を収納すると共に収納部に着脱自在に装着される鍋と、請求項１〜６のいずれか１項に記載の蓋開閉装置を備えた炊飯器。
【発明の詳細な説明】
【技術分野】
【０００１】
本発明は、機器に設けられる蓋の蓋開閉装置及びそれを備えた炊飯器に関するものである。
【背景技術】
【０００２】
従来、回動する蓋を有する炊飯器等の機器をキャビネットに収納して使用する場合、蓋を開けた時、蓋がキャビネットの天面に当って開き切らず機器の内容物を取り出し難いという課題があった。その課題を解消するため、蓋の回動中心を本体の上面より下げて、蓋を開けた時の高さを低くするようにしたものがある（例えば、特許文献１参照）。
【０００３】
図７は、従来の一般的な蓋開閉装置を有する炊飯器を示すもので、炊飯器本体１内部に内鍋２を設け、蓋３は本体１の上面後部に設けたヒンジ４を介して本体１に開閉自在に取りつけられている。ヒンジ４にはスプリング（図示せず）が設けてあり、蓋３を開放方向に付勢している。蓋３は、その前端に設けたフック３ａを炊飯器本体１に設けた尾錠５に係合して炊飯器本体１に係止される。
【０００４】
上記構成において、尾錠５とフック３ａの係合を解除すると、スプリングの付勢力により蓋３が回動して略垂直に立つ。この時、炊飯器本体１の上方には蓋３の奥行長さ以上の高い空間が必要であった。
【０００５】
そこで、蓋開放時の全高を抑えるために考案されたのが、上記特許文献１に記載された炊飯器で、以下に図８を用いて説明する。
【０００６】
図８において、炊飯器本体１内部に内鍋２を設け、開放途中で回動中心が変更される蓋３により開閉するようになっている。炊飯器本体１には、両側面下方の各第２支軸７を中心として一対のアーム８が回動自在に設けられている。蓋３の後部が、アーム８に、第１支軸６を中心として回動自在に設けられている。
【０００７】
蓋３はフック（図示しない）で炊飯器本体１に係止される。各アーム８の先端には、第１支軸６の両端部がそれぞれ回動自在に連結されている。第１支軸６には、蓋体３を開放方向に付勢する第１スプリング９ａが巻回され、また、各第２支軸７には、アーム８を反時計回り方向に付勢する第２スプリング９ｂが巻回されている。
【０００８】
上記構成により、フックの係止を解除すると、第１のスプリング９ａの付勢力により蓋３が中間開放位置に到達し、ついで、アーム８と共に第２支軸７を中心として、第２スプリング９ｂの付勢力に抗して一体的に時計方向に回動する。
【特許文献１】特開２００２−９５５８３号公報
【発明の開示】
【発明が解決しようとする課題】
【０００９】
しかしながら、上記特許文献１に開示された従来例の蓋開閉装置では、蓋３が中間開放位置（２点鎖線）に到達した時、蓋３の重心位置が第２支軸７の中心を越えて外側に移動していないので自重でアーム８を回動させることにはならない。従って、蓋３は中間開放位置で止まり、更に蓋３を後方へ手で押さない限り、蓋３は全開しない。
【００１０】
このように、上記従来の構成では、蓋３の開成時に手で押すという操作が増えるという課題があった。逆に、蓋３を閉じる場合、蓋３の先端部に、特に引き手等がないので手前に引きにくく、また、誤って蓋３を押しつけると蓋３が炊飯器本体１の上面にぶつかるという課題があった。
【００１１】
本発明は、前記従来の課題を解決するもので、蓋開放時の高さを抑え、操作が増えず、また、蓋を閉じる時も操作しやすい蓋開閉装置およびそれを備えた炊飯器を提供することを目的とする。
【課題を解決するための手段】
【００１２】
前記従来の課題を解決するために、本発明の蓋開閉装置は、機器に設けられた収納部を開閉自在に覆う蓋と、上端が前記蓋の後部に可撓部材を介して連結されると共に下端が前記機器の上面部より下方に位置する支軸で回動自在に軸支されたアームと、上端が前記蓋の後部に回動自在に軸支されたサブアームと、一端が前記支軸に回動自在に軸支され他端が前記サブアームの下端に連結された連結部材と、前記アームを後方へ回動させる手段を備えたもので、蓋開放時の高さを抑え、操作を増やすことなく容易に蓋が開けられるとともに、蓋が可撓部材とサブアームで支持されるので、蓋の重量が１ヶ所に集中せず、部品強度を必要以上に高める必要が無くなり、安価に形成できる。
【００１３】
また、本発明の蓋開閉装置は、機器に設けられた収納部を開閉自在に覆う蓋と、上端が前記蓋の後部に回動自在に連結されると共に下端が前記機器の上面部より下方に位置する支軸で回動自在に軸支されたアームと、上端が前記蓋の後部に回動自在に軸支されたサブアームと、一端が前記支軸に回動自在に軸支され、他端が前記サブアームの下端に連結された連結部材と、前記アームを後方へ回動させる手段を備えたもので、蓋開放時の高さを抑え、操作を増やすことなく容易に蓋を開けることができる。しかも蓋の後部が二つのアームでしかもそれぞれ回動自在に支持されているので、蓋の開閉構成が強固になるとともに、開閉動作が極めてスムーズになるものである。
【００１４】
また、本発明の炊飯器は、調理物を収納すると共に収納部に着脱自在に装着される鍋と、請求項１〜６のいずれか１項に記載の蓋開閉装置を備えたもので、蓋開放時の高さを抑え、操作を増やすことなく容易に蓋が開けられる炊飯器を提供する事ができる。
【発明の効果】
【００１５】
本発明の蓋開閉装置は、蓋開放時の高さを抑え、操作が増えず、また、蓋を閉じる時も操作しやすいものである。
【発明を実施するための最良の形態】
【００１６】
第１の発明は、機器に設けられた収納部を開閉自在に覆う蓋と、上端が前記蓋の後部に可撓部材を介して連結されると共に下端が前記機器の上面部より下方に位置する支軸で回動自在に軸支されたアームと、上端が前記蓋の後部に回動自在に軸支されたサブアームと、一端が前記支軸に回動自在に軸支され他端が前記サブアームの下端に連結された連結部材と、前記アームを後方へ回動させる手段を備えたもので、蓋開放時の高さを抑え、操作を増やすことなく容易に蓋が開けられるとともに、蓋が可撓部材とサブアームで支持されるので、蓋の重量が１ヶ所に集中せず、部品強度を必要以上に高める必要が無くなり、安価に形成できる。
【００１７】
第２の発明は、機器に設けられた収納部を開閉自在に覆う蓋と、上端が前記蓋の後部に回動自在に連結されると共に下端が前記機器の上面部より下方に位置する支軸で回動自在に軸支されたアームと、上端が前記蓋の後部に回動自在に軸支されたサブアームと、一端が前記支軸に回動自在に軸支され、他端が前記サブアームの下端に連結された連結部材と、前記アームを後方へ回動させる手段を備えたもので、蓋開放時の高さを抑え、操作を増やすことなく容易に蓋を開けることができる。しかも蓋の後部が二つのアームでしかもそれぞれ回動自在に支持されているので、蓋の開閉構成が強固になるとともに、開閉動作が極めてスムーズになるものである。
【００１８】
第３の発明は、特に、第１又は第２の発明の支軸を、収納部の中央より後方に配し、アームを機器の両側面より内側に配置したもので、機器の幅寸法を従来と同じにしたままで、蓋の開成時に、蓋は、可撓部材あるいは、二個のアームからなるリンク機構とアームを後方へ回動させる手段により、中間開放位置まで開き、次いで、アームを後方へ回動させる手段により、自動的に全開するので、使用勝手が良い。
【００１９】
第４の発明は、特に、第１〜３のいずれか１つの発明の蓋の前部に引き手を備えたもので、蓋を閉じる時、引き手を手前へ引きながら蓋を手前に容易に倒し、閉じることができるものである。
【００２０】
第５の発明は、特に、第１〜４のいずれか１つの発明のアームの回動速度を抑制する回動抑制装置と、前記アームの回動範囲を規制する回動範囲規制部材を設けたもので、蓋の開閉がスムーズで、静かで、衝撃がなく行なわれ、しかも蓋の開き角度は常に一定となるものである。
【００２１】
第６の発明は、特に、第１〜５のいずれか１つの発明のアームの回動角度を調整できるようにしたもので、機器の収納スペースに合わせて蓋の開成角度を変えることができ、しかも蓋の清掃等が容易になるものである。
【００２２】
第７の発明は、調理物を収納すると共に収納部に着脱自在に装着される鍋と、請求項１〜６のいずれか１項に記載の蓋開閉装置を備えたもので、蓋開放時の高さを抑え、操作を増やすことなく容易に蓋が開けられる炊飯器を提供する事ができる。
【００２３】
以下、本発明の実施の形態について、図面を参照しながら説明する。なお、この実施の形態により、本発明が限定されるものではない。
【００２４】
（実施の形態１）
本発明の第１の実施の形態における蓋開閉装置について、それを備えた炊飯器を例にして、図１〜図５を参照しながら説明する。
【００２５】
図１において、炊飯器の本体１０には、その上面を覆う蓋２０が開閉自在に設置されている。本体１０には、ステンレススチール、鉄など磁性体によって形成される鍋１１を着脱自在に収納すると共に、上方の上枠１２と下方のコイルベース１３とから構成された収納部３０が設けられている。
【００２６】
鍋１１は収納時に、収納部３０との間に隙間を有する。コイルベース１３の鍋１１底部に対向する部分に鍋１１を誘導加熱する誘導加熱コイル１４が配設される。誘導加熱コイル１４は、鍋１１の底部の中心の略真下に中心を有する巻線で形成されている。
【００２７】
鍋１１を、本体１０に収納すると、温度検知手段１５が鍋１１の底面に当接する。１６は、制御基板、１７は、操作基板である。制御基板１６にはマイクロコンピューター（図示しない）が搭載されている。マイクロコンピューターはソフトウエアにより、誘導加熱コイル１４に交番磁界を発生させるための電流を制御する。
【００２８】
本体１０の後部で、両側面より内方には、アーム１８ａとサブアーム１８ｂが設けられ、アーム１８ａの蓋２０側の一部は、可撓性を有する可撓部材である板バネ１９から形成されている。
【００２９】
アーム１８ａとサブアーム１８ｂは、以下のように、それぞれの両端部が連結されてリンク機構を構成している。アーム１８ａの下端は支軸２１で回動し、支軸２１は、本体１０の収納部３０のコイルベース１３に固定された支軸受け２２で固定されている。アーム１８ａはキックバネ２３で後ろへ回動するように付勢されている。アーム１８ａの板バネ１９の上端部は蓋２０の後部に連結されている。サブアーム１８ｂの上端は蓋支軸２１ａを介して蓋２０の後部に連結されている。
【００３０】
アーム１８ａとサブアーム１８ｂの下端は連結部材３５で繋がり、連結部材３５は、支軸２１で回動するようになっている。サブアーム１８ｂの下端と連結部材３５は、下支軸２１ｂで繋がっている。本体１０の底部には、ソレノイド本体３６と、ソレノイド作動軸３７と、一端がソレノイド作動軸３７に連結され、他端が支軸２１ｄを介して連結部材３５に連結された連結棒３８からなるアーム１８の開き角度調整手段３９を備えている。
【００３１】
蓋２０の先端部の上部に引き手２４が設けられ、先端部の下端にはフック２５を設けている。フック２５は本体１０の前部に設けた尾錠２６と係合する。蓋２０の下面には加熱板２７が着脱自在に設けられている。２８は加熱板２７の周囲に固定されたパッキンである。支軸受け２２の上端部とアーム１８の間は、アーム１８の回動範囲を規制する回動範囲規制部材となるたるみを持たせたベルト２９で結合してあり、アーム１８側のベルト２９の端は両端にピン３１ａを設けた棒３１に固定され、アーム１８に設けた穴３２にピン３１ａを通して棒３１を固定する。
【００３２】
図５に示すように、支軸２１は、ピン３３によってアーム１８と固定されてアーム１８と一体で回動する。支軸２１の端部は支軸２１の回動速度を抑制する回動規制装置となるダンパー３４と連結されている。
【００３３】
上記構成において、蓋２０の開閉動作を説明する。
【００３４】
尾錠２６を押すと、尾錠２６と蓋２０のフック２５との係合が外れ、板バネ１９の付勢力によりもとへ戻ろうとする反発力で、図２のように蓋２０の前部が浮き上がった状態となる。続いて、図３のように、キックバネ２３によってアーム１８が後方へ回動するが、その差異、ダンパー３４によって回動速度が抑制されて、緩やかに後方に回動する。そして、アーム１８は伸びきったベルト２９によって支えられた状態になり蓋２０は開く。アーム１８ａが回動する際は、回動速度を抑制するダンパー３４により衝撃が起きることはない。
【００３５】
加熱板２７を外して清掃をする場合は、図４に示すようにソレノイド本体３６を作動させると、ソレノイド作動軸３７が吸引され、ソレノイド作動軸３７に繋がった連結棒３８が移動し、連結棒３８に連結された連結部材３５が、支軸２１を中心に、時計方向に回動し、サブアーム１８ｂを引っ張ることにより、蓋２０は略垂直になり、加熱板２７の着脱が容易に行える。蓋２０を閉じる時は、蓋２０の前部の引き手２４に指を掛けて手前へ引きながら本体１０へ押しつけると、フック２５と尾錠２６が係合して蓋２０は閉じる。
【００３６】
（実施の形態２）
本発明の第２の実施の形態における蓋開閉装置について、それを備えた炊飯器を例にして、図６を参照しながら説明する。なお、上記第１の実施の形態と同一部分については、同一符号を付して、その説明を省略する。
【００３７】
本実施の形態は、実施の形態１では、アーム１８ａが板バネ１９を介して蓋２０の後部に連結されているのに対し、アーム１８ａを延設し、その上端を上支軸２１ｃを介して蓋２０の後部に連結し、上支軸２１ｃに蓋２０を開く方向に付勢するキックバネ２３ａを設けたもので、他の構成は、実施の形態１と同一である。
【００３８】
上記構成により、蓋開放時の高さを抑え、操作を増やすことなく容易に蓋を開けることができるとともに、蓋２０の後部が、アーム１８ａ、サブアーム１８ｂの二つのアームでしかもそれぞれ回動自在に支持されているので、蓋２０の開閉構成が強固になるとともに、開閉動作が極めてスムーズになるものである。
【産業上の利用可能性】
【００３９】
以上のように、本発明にかかる蓋開閉装置は蓋開放時の高さを抑え、操作を増やすことなく容易に蓋を開けることができるので、炊飯器に限らず回動式の蓋を有する調理器や各種家庭用機器に適用できるものである。
【図面の簡単な説明】
【００４０】
【図１】本発明の実施の形態１における蓋開閉装置を備えた炊飯器の蓋が閉じられた状態を示す断面図
【図２】同炊飯器の蓋のフックが尾錠から外れた時を示す断面図
【図３】同炊飯器の蓋が全開した状態を示す断面図
【図４】同炊飯器の蓋がさらに開けられた場合を示す断面図
【図５】同炊飯器の要部断面図
【図６】本発明の実施の形態２における炊飯器の断面図
【図７】従来の炊飯器を示す断面図
【図８】従来の他の炊飯器を示す側面図
【符号の説明】
【００４１】
１０  本体
１１  鍋
１８ａ  アーム
１８ｂ  サブアーム
１９  板バネ（可撓部材）
２０  蓋
２１  支軸
２３  キックバネ（回動させる手段）
２４  引き手
２５  フック
２６  尾錠
２９  ベルト（回動範囲規制部材）
３０  収納部
３４  ダンパー（回動抑制装置）
３５  連結部材
【図１】
2006075394.tif 000003
【図２】
2006075394.tif 000004
【図３】
2006075394.tif 000005
【図４】
2006075394.tif 000006
【図５】
2006075394.tif 000007
【図６】
2006075394.tif 000008
【図７】
2006075394.tif 000009
【図８】
2006075394.tif 000010